Podtech/llm-jp-corpus-v4-ja_patent huggingface dataset:
(57)【要約】【課題】マイナスイオンはホルムアルデヒド等、室内化学物質汚染を改善し、又悪臭や有害ガスを分解し、消臭効果もあり、空気中に浮遊しているホコリやタバコの煙、カビの胞子などを包み込んで落下させて、アレルギーなどの症状をやわらげる効果がある。従って、室内環境を快適にし、改善する。【解決手段】紙製等のシート本体（３）にマイナスイオン発生塗料（２）を塗布したシート（１）である。【選択図】図２
2004239035.tif 000002
【特許請求の範囲】
【請求項１】
マイナスイオンを発生させる塗料を塗付したシート
【発明の詳細な説明】
【０００１】
【発明の属する技術分野】
マイナスイオンを発生する原体を配合した塗料をシートに塗付し、室内の壁等に貼り付ける事により、室内の空間環境においてマイナスイオン濃度を上げるべく開発したシートである。マイナスイオン発生塗料をあらかじめ紙製等シートに塗装しておく事により、容易に室内等に貼る事が出来、マイナスイオン効果が得られるシートである。
【０００２】
【従来の技術】
室内美化、室内装飾のためのシート類は、数多く市場に出回っており、よく知られているが、マイナスイオン発生機能を有し、かつ室内美化、室内装飾のためのシート類は知られていない。
【０００３】
【発明が解決しようとする課題】
マイナスイオンはホルムアルデヒド等、室内化学物質汚染を改善し、又悪臭や有害ガスを分解し、消臭効果もあり、空気中に浮遊しているホコリやタバコの煙、カビの胞子などを包み込んで落下させて、アレルギーなどの症状をやわらげる効果がある。従って、室内環境を快適にし、改善する。
【０００４】
【課題を解決するための手段】
紙製等のシートにマイナスイオンを発生させる塗料を塗布し、カラフルな色彩をほどこして、室内に接着テープまたは、押しピン等で貼付することで、室内環境のマイナスイオン濃度を高め、快適な空間を提供し、ホルムアルデヒド等、室内化学物質汚染を改善する。又悪臭や有害ガスを分解し、消臭効果もあり、空気中に浮遊しているホコリやタバコの煙、カビの胞子などを包み込んで落下させて、アレルギーなどの症状をやわらげる。
【０００５】
【発明の実施の形態】
紙製等のシート本体（３）にマイナスイオン発生塗料（２）を塗布したシート（１）で、カラフルな色を配し室内に接着テープ又は押しピン等で貼付けすることで、マイナスイオン効果とカラフルな色彩にする事が出来る。
使用できる紙製のシートは特に制限を受けないが、例えば、日本製紙（株）製のオーパーＭＭＷなどが好ましく使用できる。
【０００６】
マイナスイオン発生塗料としては、マイナスイオン発生機能を有する塗料であれば、特に制限を受けないが、シートが、合成樹脂、あるいは紙製などの場合は、室温乾燥、あるいは６０〜７０℃の比較的低温度での強制乾燥形の塗料が好ましく使用でき、溶剤形、水系を問わないが、水系のエマルション形が特に好ましい。例えば、神東塗料（株）製の「オーシアシリーズ  ｉ−生活イオナイズ  シリーズ」が好ましい。
【０００７】
本発明のマイナスイオンを発生する塗料を塗布したシートは、壁紙などに使用できるほか、自由な形に裁断し、テープ類、ピン類などで、壁に貼り付けることもでき、室内装飾、室内美化に使用でき、シートが汚れたり、破損した時には、自由に張り替えができるものである。
【０００８】
以下に本発明の実施の一形態を示すが、本発明はこの実施例に限定されるものではない。
【実施例】
（実施例１）
１メートル四方の日本製紙（株）製のオーパーＭＭＷに神東塗料（株）製水系エマルション塗料「オーシアシリーズ  ｉ−生活イオナイズ白」をローラーにより塗装し、室温で１週間乾燥させた。得られた紙シートを、両面テープで７．４２５平方メートルの部屋の壁にピンで貼り付け、マイナスイオンの発生量を測定した。結果を表１に示す。
（実施例２）
１メートル四方の日本製紙（株）製のオーパーＭＭＷに神東塗料（株）製水系エマルション塗料「オーシアシリーズ  ｉ−生活イオナイズ白」をローラーにより塗装し、７０℃で１時間乾燥させた。得られた紙シートを、両面テープで７．４２５平方メートルの部屋の壁にピンで貼り付け、マイナスイオンの発生量を測定した。結果を表１に示す。
（比較例１）
１メートル四方の日本製紙（株）製のオーパーＭＭＷを、両面テープで７．４２５平方メートルの部屋の壁にピンで貼り付け、マイナスイオンの発生量を測定した。結果を表１に示す。
【表１】
2004239035.tif 000003
【０００９】
【発明の効果】
・室内環境のマイナスイオン濃度を高め、快適な空間を提供する。
・悪臭や有害ガスを分解し、消臭効果がある。
・ホルムアルデヒド等、室内化学物質汚染を改善する。
・空気中に浮遊しているホコリやタバコの煙、カビの胞子などを包み込んで落下させてアレルギーなどの症状をやわらげる。
・超低ＶＯＣ塗料なのでシックハウス症候群等が軽減される。
【図面の簡単な説明】
【図１】室内立体図
室内の壁にマイナスイオン発生シートを貼り付けたイメージ図
【図２】斜視図
マイナスイオン発生シートのイメージ図
【図３】拡大断面図
マイナスイオン発生シートの断面のイメージ図
【符号の説明】
１  マイナスイオン発生シート
２  マイナスイオン発生塗料
３  紙製等シート本体
４  壁
５  天井
６  床
【図１】
2004239035.tif 000004
【図２】
2004239035.tif 000005
【図３】
2004239035.tif 000006
(57)【要約】【課題】従来は、ペットが部屋を出入りするたびに襖、障子等を毎回人の手を借りて開けなければいけなかった不便さを、人の手を借りずに、ペットが自由に出入り出来るようにしたことを提供する．【解決手段】襖、障子等の取り付け溝に、簡単に差しこんで取り付け、その下部の扉より、ペツトが自由に出入りできるようにした．簡単に、取り付け取り外しが出来ることを特徴とする．【選択図】  図１
2004239031.tif 000002
【特許請求の範囲】
【請求項１】
襖、障子等の取り付け溝に、簡単に差し込んで、ペットが自由に出入り出来る様にした．
【発明の詳細な説明】
【００１】
【発明に属する技術分野】
この発明は、襖、障子、引き戸等の取り付け溝又、レールのあるものに、簡単に差しこんで使うことにより、ペットが自由に出入り出来る様にした、ことに関するものである．
【００２】
【従来の技術】
毎回、ペットが出入りするたびに部屋の、襖、障子等を人が開けていた又、襖、障子等に、ペット用穴をあけていた．
【００３】
【発明が解決しょうとする課題】
従来は、ペツトが部屋から部屋へ移る時、襖、障子等を毎回開閉させていていた為、大変であった．
【００４】
【課題を解決するための手段】
上記、目的を達成させるために、襖、障子等の取り付け溝に簡単に取り付け取り外すことのできる柱と同じ色の本発明を取り付け、その下部部分の扉よりペットが、出入り出来ることを特徴とする．
【００５】
【発明の効果】
以上のように本発明は、襖、障子等を毎回人の手を借りて開閉することなくペツトが自由に出入り出来るようにし、柱と同じ色としたことにより部屋の雰囲気を壊すことなく使用できる．
【図面の簡単な説明】
【図１】本発明の斜視図である
【図２】本発明の正面図である
【図３】本発明の側面図である
【図４】本発明の使用中の正面図である
【符号の説明】
１．基材
２．開閉扉
３．ステンレス筒
４．襖取り付け溝
５．襖
【図１】
2004239031.tif 000003
【図２】
2004239031.tif 000004
【図３】
2004239031.tif 000005
【図４】
2004239031.tif 000006
(57)【要約】【課題】初期剛性、耐力、靭性に優れ、特殊な金物を必要とせず、施工性の高い木質部材のモーメント抵抗接合部を提供する。【解決手段】接合する木質部材の接合面を山形状に加工し、山の表面がお互いに噛み合うようにし、その部分をボルトで締め付けることにより、山が噛み合うことで初期剛性があり、耐力、靭性ともに優れた木質部材のモーメント抵抗接合部とした。【選択図】図１
2004239043.tif 000002
【特許請求の範囲】
【請求項１】
接合する木質部材の接合部表面に山形状の表面加工を施し，それらを互いに噛み合わせてボルトで締め付けることによって，力の伝達を行うモーメント抵抗接合方法．
【請求項２】
座金と木質部材の間に座金のめり込み防止プレートを配置したことを特徴とする請求項１記載のモーメント抵抗接合方法
【発明の詳細な説明】
【０００１】
【発明の属する技術分野】
本発明は，建築物の主要骨組の接合部に用いられ，木質部材どうしを剛接合させてモーメントを伝達させる接合部に関するものである．
【０００２】
【従来の技術】
木質部材のモーメント抵抗接合部では，接合させる部材の接合表面を加工することはせず，接合金物を介して力を伝達する方法が用いられている．
【０００３】
一般的な木質部材のモーメント抵抗接合に用いられる金物には，ボルト，ドリフトピン，ジベルがある．
【０００４】
ボルトを用いたモーメント抵抗接合部は，先行孔とボルト間に隙間があるため初期ガタを生じやすく，必要な初期剛性が得られない場合が多い．また，この初期ガタをなくすためにはエポキシ樹脂の注入など大きな手間がかかる．
【０００５】
ドリフトピンを用いたモーメント抵抗接合部は，木材の割裂を伴った破壊を呈するためその挙動が脆性的であり，地震時にねばり強い変形能力が要求されるモーメント抵抗接合部には向かない．また，変形に伴ってピンの抜けが生じるため，ボルトに比べると最大耐力が低い．
【０００６】
ジベルを用いたモーメント抵抗接合部は，ドリフトピン接合部以上にその破壊挙動が脆性的であり，地震時にねばり強い変形能力が要求されるモーメント抵抗接合部には向かない．また，金物を多用するため，加工手間とコストがかさむ．
【０００７】
【発明が解決しようとする課題】
以上に述べた従来の木質部材のモーメント抵抗接合部における問題点は，接合部に要求される力学的な性能として，初期剛性，耐力，変形能力のすべてを満足するものがないことにある．
【０００８】
本発明は，このような従来のモーメント抵抗接合が有していた問題を解決しようとするものであり，高い初期剛性と耐力を有し，変形能力に富んだ性能を有する接合方法の実現を目的とするものである．
【０００９】
【課題を解決するための手段】
この発明に係わるモーメント抵抗接合部は，木質部材の接合表面に山形状の加工を施し，その山形加工がお互いに噛み合うように接合し，接合した木質部材どうしをめり込み防止プレートで挟み，座金を有するボルトとナットで締め付けたことより成ることにある．
【００１０】
したがって，木質部材間の応力伝達は接合面に施した山を介して行われ，初期ガタのない高い初期剛性を有する．
【００１１】
木質部材間の応力伝達は接合面に施された山全体を介して行われるため，局所的な応力が発生せず，めりこみや割裂を伴わずに高い耐力を有する．
【００１２】
接合された木質部材どうしはボルトで締め付けられているため，応力伝達時にお互いの部材が山表面に沿って離れようとするのを防ぐため，高い変形性能を有する．
【００１３】
また，めり込み防止プレートを用いることにより，座金の木質部材表面へのめり込み強度を高くし，接合部全体の耐力と変形能力をより高いものにすることができる．
【発明の実施の形態１】
【００１４】
以下，この発明の実施の形態を図面にもとづいて説明する．
【００１５】
図１において木質部材のモーメント抵抗接合部１が示され，該モーメント抵抗接合部１は，接合部の両面に山形加工を施した木質部材２と，接合部の片面に山形加工を施した木質部材３と，この木質部材どうしを締め付けるボルト４，めり込み防止プレート５，座金６，ナット７からなる．
【００１６】
【発明の実施の形態２】
図２において木質部材のモーメント抵抗接合部８が示され，該モーメント抵抗接合部８は，接合部の片面に山形加工を施した木質部材９と，この木質部材どうしを締め付けるボルト１０，めり込み防止プレート１１，座金１２，ナット１３からなる．
【００１７】
【発明の効果】
本発明は，以上説明したように構成されているので，以下に記載されるような効果を奏する．
【００１８】
山どうしが噛み合って応力伝達されるので，曲げモーメントに対してボルト接合のような初期ガタが無く，高い剛性を確保できる．
【００１９】
また，接合面全体を使って応力が伝達されるので，曲げモーメントに対してボルト接合やドリフトピン接合のような局部的な応力集中によるめり込みが無く，高い耐力が得られる．
【００２０】
さらに，局部的な応力集中がないことによって割裂や割れに伴う耐力低下が少なく，曲げモーメントに対して安定した変形性能が得られる．
【００２１】
また，接着剤を用いないため，経年劣化に伴う性能の低下が無く，長期にわたって安定した性能が得られる．
【００２２】
そして，ボルトをはずすことによって容易に分解でき，建築物の移設，解体，撤去，補強，補修が容易である．
【図面の簡単な説明】
【図１】本発明の一実施例を示す木質部材のモーメント抵抗接合部
【図２】本発明の一実施例を示す木質部材のモーメント抵抗接合部
【符号の説明】
１  モーメント抵抗接合部
２  接合部両面に山形加工を施した木質部材
３  接合部片面に山形加工を施した木質部材
４  ボルト
５  めり込み防止プレート
６  座金
７  ナット
８  モーメント抵抗接合部
９  接合部片面に山形加工を施した木質部材
１０  ボルト
１１  めり込み防止プレート
１２  座金
１３  ナット
【図１】
2004239043.tif 000003
【図２】
2004239043.tif 000004
(57)【要約】      （修正有）【課題】アスファルト舗装工事では、通常の舗装工事完成後１週間程度舗装の安定をはかったあと路面標示を設置することが望ましいとされている。しかしながら舗装後は車両の通行が即刻求められるため、安定期間は仮ラインと称して、常温ペイントを塗布したり、テープを路面に設置し車両の通行が行われていた。このため高価な費用が掛かると共に、シートやテープでは舗装安定後にシートを除去する為の手間と廃棄物処理が必要となる。【解決手段】発泡シート１による仮ラインで、施工の仕上がり（見易さ）と施工の簡素化と交通開放の即時性で交通支障が起こりにくい。又、舗装安定後に行う、本施工による路面標示の設置工事においても迅速に作業が行われると同時に安価にしかも廃棄物処理も必要ない。【選択図】図１
2004239042.tif 000002
【特許請求の範囲】
【請求項１】
スチロール樹脂・アクリル樹脂・塩化ビニル樹脂・酢酸共重合樹脂等、トルエン・酢酸エチルケトン系溶剤に溶解する樹脂をベースに発泡シートを作る。シートの厚みは０．３ｍｍ〜３．０ｍｍとし、発泡シート片面には接着剤を塗布し離ケイ紙で保護する。
これらの発泡シートは片面の接着剤保護離ケイ紙を取り除き、接着層を路面に貼り付けて使用する。
路面に貼り付けられた発泡シートは即刻車両を通行させることが出来、簡単に剥離することはない。特に新設舗装完了後仮ラインとして使用する。
これらの発泡シートはトルエンや酢酸エチル系の溶剤を少量散布することで路面に貼付けらたものが完全に溶解消滅する。このあと正規の路面標示用塗料を設置しても何ら支障はない。
トルエンや酢酸エチルを含むプライマーと称する溶融型路面標示用接着剤を発泡シートに散布することで、路面に貼り付けられたシートは消滅するのと同時に溶融型路面標示の接着剤としての効果も持たすこともできる。
【発明の詳細な説明】
〔従  来  技  術〕        新設舗装は通常転圧完了後１週間程度の養生期間が必要とされる。この為この期間は仮ラインとして常温型ペイントや高価なアルミベースのシート等を貼付けたり塗装したりする。
〔発明が解決しようとする課題〕
以上の従来技術であれば常温型ペイントの場合仮ラインの出来栄えが悪く乾燥も遅く交通開放が遅れる。又、車両のドライバーから路面標示が見えにくくなったりアルミ製のシート等の場合では効果であることと、１週間後に正規の溶融型路面標示用塗料を施工する場合そのシートを除去する必要があり、除去費用と廃棄物処理に徒労をようすることになる。
〔課題を解決するための手段〕
１．ポリスチレン等による可溶性発泡樹脂体であること。
２．０．３〜３．０ｍｍのシート状発泡体であること。
３．シート裏面へは粘着材が塗布され路面へ簡単に接着できること。
４．トルエンや酢酸エチル・ＭＥＫ等の溶剤で完全に溶けること。
〔発明の実施の形態〕
可溶性発泡樹脂シートの裏面に粘着材を塗布することで仮ラインとして舗装後設置することで、簡単に軽微な費用で路面表示として仕様できる。また、これらの仮ラインは溶剤（トルエン等）やトルエン等を含む表面処理剤を本施工の路面標示設置工事の際はこれらを散布することにより路面から消滅し、本施工時の路面標示の密着性への悪影響を与えるものではない。本施工による路面標示の設置を行わない場合にも、路面上から仮ラインを消滅させることが出来うるものである。
〔発明形態の効果〕
１．本施工までの交通安全の確保。
２．仮ライン工事のコストカット。
３．本施工時の作業の効率化。
４．仮ラインの除去費用が掛からない。
５．仮ラインの除去後の処理が必要ない。
６．仮ラインの設置作業が簡易である。
【図面の簡単な説明】
【図１】発明の実施形態を示すものである。
【符号の説明】
▲１▼  発泡体シート（スチレン）
▲２▼  裏面は接着剤が塗布
▲３▼  シートの厚みは０．２〜２．０ｍｍ
【図１】
2004239042.tif 000003
(57)【要約】［課題］    大地震等の際建物に与える揺れが、ブランコ遊具のようにロープで吊るしている所が揺れないように、地面がどの方向の円周廻りに揺れても、建物に直接ひびいて揺れないようにする。［解決手段］    柱を地面近くで上下に分断し、下側の柱１より張り出し腕３の先端部４をケーブル１１の上部結び目６に連結して、建物を重力的に吊るようにする。【選択図】    図１
2004239044.tif 000002
【特許請求の範囲】
【請求項１】
柱を上下に分断し、その頂部と下端部から交錯して先端部迄張り出し、上下が逆転した先端部をケーブルで結んだ、重力を利用したブランコ様の免震装置。
【発明の詳細な説明】
【０００１】
［発明の属する技術分野］
本発明は、建物の角か円柱の地面に近い個所を上下に分断し、下側の柱の頂部から水平に２以上３・４カ所から上方に向けて腕を張り出し、又上側の柱の下端部から２以上３・４カ所から下方に張り出し、上下の張り出しが互に接触しないように交錯し、上下が逆転した先端部となる。
上下の柱から張り出した先端部は交錯しているので、垂直線上に一致せず上下先端部のどちらか一方の、例えば上側になった先端部を、円周廻りに水平に取り囲む構造にして、円周構造輪を取り付け上下垂直の位置を設ける。
この上下先端部を、ケーブルで結んでブランコ遊具のように、大地震で地面が揺れても吊るした所には直接伝わらず、建物が折・破損しないようにする重力を利用した免震装置である。ケーブルはつり橋長大橋の垂直側に使用のような強度が大きいものである。柱から先端部迄張り出した腕の強度は、柱にかかる重量の負荷より大である。
【０００２】
［従来の技術］
最近マスコミ等で鉄板を幾重に重ね、互にすべるような免震装置。
【０００３】
［発明が解決しようとする課題］
従来見聞きした多重鉄板式に比べ、全重量をブランコ様に上側先端部から吊るようにしたので、大地震の揺れにも安定的である。
【０００４】
［課題を解決するための手段］
柱を上下に分断し、その頂部と下端部から先端部迄交錯して張り出し、上下が逆転してケーブルを結んだ、重力を利用したブランコ様の免震装置。
【０００５】
［発明の実施の形態］
本発明は、一般木造家屋やビルの、地面に近い柱に装着するものである。
【０００６】
［発明の効果］
一般家屋の住宅や相当の大きさのビルで、地面に近い柱に取付できる。
【図面の簡単な説明】
【図１】免震装置の立面図である。
【図２】下側の柱と上側になった円周構造輪。
【図３】図２の下側の柱の平面図。
【図４】ａビルとｂ家屋への実施例。
【符号の説明】
１，２  下側の柱
３      下側の張り出し腕。
４      下側の柱の上側先端部。
５      円周構造輪
６      ケーブルの上側結び目
７，８  上側の柱
９      上側の張り出し腕
１０    上側柱の下側の下側先端部
１１    ケーブル
１２    建物への装着位置
【図１】
2004239044.tif 000003
【図２】
2004239044.tif 000004
【図３】
2004239044.tif 000005
【図４】
2004239044.tif 000006
(57)【要約】      （修正有）【課題】マイナス定数のプリズムでも高さを細かく調節できる機能を持たせた伸縮性ポールを提供する。【解決手段】伸縮性のポール３にネジ１と脚ロックレバー４と石突き５を設けたことを特徴とする。又、プリズムに気泡管を上下２個付け、上下逆に使用することにより従来どおりのより精度の高い測量も出来る。【選択図】図１
2004239882.tif 000002
【特許請求の範囲】
【請求項１】
伸縮性のポール（３）に脚ロックレバー（４）を設け、マイナス定数のプリズムを自由に高さ調節ができる伸縮性ピンポール。
【請求項２】
（イ）伸縮性のポール（３）に脚ロックレバー（４）を設ける。
（ロ）その上端にプリズムのネジ穴（７）に合わせたネジ（１）を設ける。
（ハ）その下端に石突き（５）を設ける。
（ニ）プリズムに上下対象に２つ気泡管（６）を設ける。
【発明の詳細な説明】
【０００１】
【発明の属する技術分野】
この発明は、測量の際使うマイナス定数のプリズムのピンポールをカメラの三脚のように高さが細かく調節することができるものである。
【０００２】
【従来の技術】
通常、測量に使われるトランシットと呼ばれる光波距離計はトランシットから光を出し、それを測る所にプリズムを置いて光を反射させるその時間差などで距離を測定できる。
そのプリズムには定数がゼロのものとマイナス２０など、マイナス定数のものがある。定数がゼロのプリズムはポールから２ｃｍ程離れて付いでいる為、ポールをスライドさせて自由に高さ調節することができる。
しかし、プリズムがトランシットの方向を正確に向いていないと中心が左右上下ずれる為、精度があまり高くなかった。
その点、マイナス定数のプリズムはポールの中心に付いているので、ゼロ定数のプリズムに比べて精度が良くなる。
従来のマイナス定数プリズムのポールは、（３６０度ミニプリズムなどを含めて）プリズムがポールの中にある為、高さ調節の際スライドさせる事ができない。その為、３０ｃｍのポールをネジで螺合して使用しており、その一本ずつしか高さの調節ができなかった。その為、数センチ単位での高さ調節ができなかった。
そのうえ、高さを調節するときは一本一本、つないだり外したりしていて測量に無駄な時間と手間がかかっていた。
【０００３】
【発明が解決しようとする課題】
したがって、極めて精度の高いマイナス定数のプリズムであるにもかかわらず使用する者は少なかった。本発明はこのような無駄を省いてより精度の高い測量を簡単に行うために発明されたものである。
【０００４】
【課題を解決するための手段】
伸縮性のポール（３）に脚ロックレバー（４）と石突きを設ける。それにプリズムを取り付ける。
その構成を説明すると、
（イ）  伸縮性のポール（３）に脚ロックレバー（４）を設ける。
（ロ）  その上端にプリズムのネジ穴に合わせたネジ（１）を設ける。
（ハ）  伸縮性ポール（３）の下端に石突き（５）を設ける。
（イ）  プリズムに上下対象に気泡管を２つ設ける。
（ロ）  伸縮性ポールにプリズムを取り付ける。
本発明は以上の構成からなる伸縮性ポールである。
【０００５】
【発明の実施の形態】
次に本発明の実施の形態を述べると、伸縮性ポール（３）の上端に設けたネジ（１）にプリズムを取り付け、脚ロックレバー（４）をおこして高さを好きな高さまで調節し、脚ロックレバー（４）を倒して固定する。石突き（５）を測定する測点に合わせ、プリズムの気泡管（６）を見て測点に対して垂直に立て、測量する。
伸縮性ポール（３）は少々の誤差を伴うのでプリズムの上端にピンポール（６）を螺合させ、精度の高い基準点などの測量は逆さまにして、もう一方に設けた気泡管を見て測量する。
先に伸縮性ポールは少々の誤差があると述べたが、誤差の範囲内の誤差であり通常の測量には何等問題はない。
【０００６】
【発明の効果】
こうすることによって、高さを自由に調節できるので、植物や、地形の起伏による少々の障害はトランシットを移動しなくとも測量できる。そのうえ高さを変える度にポールをつなぎ変える手間と時間も省くことができ、何本もポールを持ち運ばなくて良いので持ち運びにも便利である。さらに、プリズムに２つ気泡管を設け、伸縮性ポールと対象にポールを螺合させることによって、より精度の高い基準点測量も逆さまにするだけで行うことができる。
本発明はこのような方法で、極めて精度の高いマイナス定数のプリズムを使用する際の無駄な時間と手間を省くことができるようにしたものである。
【図面の簡単な説明】
【図１】本発明伸縮性ポールの正面図
【図２】本発明伸縮性ポールの詳細図
【図３】本発明プリズムの正面図
【図４】本発明プリズムの右側面図
【図５】本発明プリズムの平面図
【図６】本発明プリズムの底面図
【図７】本発明の実施形態正面図
【図８】本発明の実施形態右側面図
【符号の説明】
１ネジ  ２グリップ  ３伸縮性ポール  ４脚ロックレバー
５石突き  ６気泡管  ７ネジ穴  ８ピンポール  ９プリズム
【図１】
2004239882.tif 000003
【図２】
2004239882.tif 000004
【図３】
2004239882.tif 000005
【図４】
2004239882.tif 000006
【図５】
2004239882.tif 000007
【図６】
2004239882.tif 000008
【図７】
2004239882.tif 000009
【図８】
2004239882.tif 000010
(57)【要約】【課題】簡単な構造でより防犯性の高い電磁石吸着式エレベーター用操作盤の提供。【解決手段】開口部１ａを有し図示しない操作盤本体を収容するケース１と、開口部１ａを覆うようにケース１に取り付けられているカバー２と、ケース１の上下に設けられ、カバー２のケース１への取付状態をロックするとともに、カバー２に設けられたキースイッチ４によりカバー２の表面側からロック・解除の操作が行われる電磁石ロック装置を設ける構成とする。【選択図】        図１
2004299848.tif 000002
【特許請求の範囲】
【請求項１】
開口部を有し操作盤本体を収容するケースと、上記開口部を覆うように上記ケースに取り付けられているカバーと、上記ケースの上下に設けられ、上記カバーの上記ケースへの取付状態をロックするとともに、上記カバーに設けられたキースイッチにより上記カバーの表面側からロック・解除の操作が行われる電磁石ロック装置とを備えていることを特徴とする電磁石吸着式エレベーター用操作盤。
【発明の詳細な説明】
【０００１】
【発明の属する技術分野】
本発明は、エレベーターの乗場やかご内に設けられる電磁石吸着式エレベーター用操作盤に関するものである。
【０００２】
【従来の技術】
一般的にエレベーター用操作盤のカバーは、ネジでケースに固定されているため、一般の乗客のいたずらによりカバーが開けられ、ケース内の機器が破損されたり、休止中のエレベーターの配線を変更して建物内へ進入させる恐れがあった。このため、操作用磁石によりカバーの表面側からロック・解除の操作が行われる磁石式ロック装置によって、カバーをケースに取り付けた状態でロックできるエレベーター用操作盤が提案されている（例えば、特許文献１参照。）。
【０００３】
【特許文献１】
特開平１１−９２０４４号公報
（段落番号００１３〜００２１、第１図〜第９図）
【０００４】
【発明が解決しようとする課題】
上記提案されたものでは、構造が複雑であり、部品数も多くなってしまう。また、構造を知っている乗客であれば、カバーを開けられるという問題がある。
【０００５】
本発明は上記のような問題を解決し、その目的は、簡単な構造でより防犯性の高い電磁石吸着式エレベーター用操作盤を提供するにある。
【０００６】
【課題を解決するための手段】
上記目的は、開口部を有し操作盤本体を収容するケースと、上記開口部を覆うように上記ケースに取り付けられているカバーと、上記ケースの上下に設けられ、上記カバーの上記ケースへの取付状態をロックするとともに、上記カバーに設けられたキースイッチにより上記カバーの表面側からロック・解除の操作が行われる電磁石ロック装置とを設けることにより達成される。
【０００７】
【発明の実施の形態】
以下、本発明の実施の形態を図１〜図４を用いて説明する。図１は本発明の一実施形態によるエレベーター用操作盤を示し、装置がロックされている状態での縦断面図、図２は正面図、図３は装置のロックが解除されている状態での縦断面図、図４は電磁石を作動させる回路図である。
【０００８】
図において、１は図示しない操作盤本体を収容するケース、２はケース１の前面の開口部１ａを覆うカバー、３はカバー２に設けられる呼び登録釦、４はカバー２に設けられるキースイッチ、５はカバー２の上下に設けられるフック、６はケース１の上下に設けられる電磁石、７はケース１の底部に設けられる止め金具である。
【０００９】
本実施形態の場合、キースイッチ４を「休止」にすると、電磁石６の吸着をストップする回路とし、フック５が止め金具７に結合することで、カバー２とケース１がロックされる。また、キースイッチ４を「運転」の位置にすると、電磁石６に通電する回路とし、フック５を吸着させることで、カバー２とケース１とのロックが解除され、カバー２をケース１から取り外すことが可能となる。尚、電磁石６の吸着力はカバーを引き抜くことができる程度に設定する。本実施形態ではキースイッチ４を「休止」、「運転」としたが、その他のものであってもよい。
【００１０】
【発明の効果】
本発明により、キースイッチを操作するキーを持っていなければ、操作盤のカバーを開けることができないため、一般の乗客のいたずらによりカバーが開けられ、ケース内の機器が破損されたり、休止中のエレベーターの配線を変更して建物内へ進入されることを防ぐことができる。また本発明は構造が簡単なため、上記キーを持っていればロック・解除することができ、容易にカバーを着脱することができる。
【図面の簡単な説明】
【図１】本発明の一実施形態を示す電磁石吸着式エレベーター用操作盤の縦断面図である。
【図２】本発明の一実施形態を示す電磁石吸着式エレベーター用操作盤の正面図である。
【図３】本発明の一実施形態を示す電磁石吸着式エレベーター用操作盤の縦断面図である。
【図４】本発明の一実施形態における回路図である。
【符号の説明】
１  ケース
１ａ  開口部
２  カバー
３  呼び登録釦
４  キースイッチ
５  フック
６  電磁石
７  止め金具
【図１】
2004299848.tif 000003
【図２】
2004299848.tif 000004
【図３】
2004299848.tif 000005
【図４】
2004299848.tif 000006
(57)【要約】【目的】外部記録メディアを簡単に収納できるカード型の外部記録メディア収納ケースを提供する。【構成】外部記録メディア収納口（２）より外部記録メディアが収納できるようカード型本体（１）内部に収納空間（３）を設けたことを特徴とする。【選択図】                  図１
2004299781.tif 000002
【特許請求の範囲】
【請求項１】
外部記録メディア収納口（２）より外部記録メディアが収納できるようカード型本体（１）内部に収納空間（３）を設けたカード型の外部記録メディア収納ケース。
【発明の詳細な説明】
【０００１】
【産業上の利用分野】
本発明は，外部記録メディアを収納するためのカード型の収納ケースである。
【０００２】
【従来の技術】
従来，外部記録メディアは開閉式の収納ケースなどに収納されていた。
【０００３】
【発明が解決しようとする課題】
これには，次のような欠点があった
（イ）開閉式のため，収納するたびに開けたり閉じたりしなければならず面倒である。
（ロ）開閉させる構造が複雑なため、製造コストが高くなる。
【０００４】
【課題を解決するための手段】
外部記録メディア収納口（２）より外部記録メディアが収納できるようカード型ケース本体（１）内部に収納空間（３）を設ける。
本発明は，以上のような構成よりなるカード型の外部記録メディア収納ケースである。
【０００５】
【作用】
外部記録メディアを外部記録メディア収納口（２）より入れることにより，カード型本体（１）が収納ケースとしての機能を有するようになる。
【０００７】
【発明の効果】
外部記録メディアを収納ケースに抜き差しすることで収納するため，簡単に出し入れできる。また，ケース自体構造が複雑でないため，製造コストを安くできる。また，カード型の形状をしているので，携帯に便利である。
【図面の簡単な説明】
【図１】本発明の断面図である
【図２】本発明の使用説明図である
【符号の説明】
（１）カード型本体
（２）外部記録メディア収納口
（３）収納空間
【図１】
2004299781.tif 000003
【図２】
2004299781.tif 000004
(57)【要約】      （修正有）【課題】一般型では一度締めると緩めたり、取り外すことが出来なかった。リピート可能タイプはロックを外すレバーを有するために、幅を狭く出来ずコストも高くなっていた。【解決手段】帯を湾曲させて、歯のかみ合わせのロックを外すことが出来るように、頭頂部の一部分を除き、帯の出口の上側に帯を押さえる機能を持たせた突起２を設ける。帯が突起２の下側ではロックが掛かり、上側に湾曲させ乍ら持ち上げるとロックが解除されて緩めたり取り外したりが可能となる。小サイズ化も出来て便利であり、切断して捨てなくて済む。再利用も出来るので、結束バンドの節約にもなる。【選択図】  図２
2004299782.tif 000002
【特許請求の範囲】
【請求項１】
帯に付属の歯（５）と、頭部内に設けた歯（４）のかみ合わせのロックを、帯を湾曲（６）させて外せるように、湾曲の障害となる頭頂部の一部分（１）を除いて，緩めたり取り外したりを可能としたことを、特長とする樹脂製結束バンド。
【請求項２】
頭部、帯の出口上側に、帯を押さえる機能を有する突起（２）を設ける。又は頭頂部の一部分（２）を残す。以上のことを特長とする請求項１の結束バンド。
【請求項３】
頭頂部を肉厚状に高くして、指で押しやすくするための指掛かり（３）を設けた、請求項１及び２の結束バンド。
【請求項４】
頭部に近い帯の両側に、側面板（９）を立てそれの上端より内側へひさし状突起（１０）を出し、帯を押さえる機能を持たせて、弾性を利用して帯をはめ込むことが出来る、帯保持部を有する請求項１、２，３、の結束バンド。
【発明の詳細な説明】
【０００１】
【発明の属する技術分野】
この発明は、コードや電線等を束ねて締めるときに使用する、樹脂製の結束バンドに関するものである。
【０００２】
【従来の技術】
従来の結束バンドは一度締めると緩めることが出来なかった。緩めてリピート可能なタイプもあるが、歯のかみ合わせのロックを外すレバーを有するために、頭部や帯の幅が相当広くなっていた。
【０００３】
【発明が解決しようとする課題】
今までは、次のような欠点があった。
一般型の結束バンドは、一度締めると緩めることが出来ず、配線等で追加がある場合は切断していた。又、リピート可能なタイプは、ロックを外すレバーを有するために、頭部や帯の幅が相当広くなり使いにくい場合がありコストもかなり高くなっていた。
本発明はこれらの欠点を除くために、なされたものである。
【０００４】
【課題を解決するための手段】
歯のかみ合わせ部の上方にある頭頂部の一部分１を、既成タイプから切除する。頭部、帯の出口上側に、帯を押さえる機能を持たせた突起２を設ける。又は頭頂部の一部分２を残す。頭頂部に指で押しやすくするための、台形状等の指掛かり３を設ける。
【０００５】
【発明の実施の形態】
（イ）結束する場合は、帯の差込口７に、帯の末端を通して締める。
（ロ）緩める場合は、帯を突起又は頭頂部の一部分２の上側に、頭部や帯の弾性を利用して、湾曲６させ乍ら持ち上げて、歯のロックを外し指掛かり３を押す。
【図２】
（ハ）帯を差込口７から通すと出口の突起又は頭頂部の一部分２の下側を通り歯のかみ合わせのロックが掛かる。帯を突起又は頭頂部の一部分２の上側に湾曲させ乍ら持ち上げれば、ロックが解除されて緩めたり取り外したりが、可能となる。
（ニ）頭頂部を肉厚状に高くした指掛かりは、補強の役も兼ねる。もっと強度が必要な場合は前後の幅も広くする。そのためには後方へ張り出させるのも一つの方法である。
（ホ）頭部に近い帯に設けた帯保持部
【図５】に、締めた後の余った帯を上側から弾性を利用してはめ込めば、ワンタッチで保持出来る。用途やサイズによって帯保持部の位置を変えて造るのも一つの方法である。この帯保持部は既製のレバー付きリピート可能結束バンドにも応用出来る。
【０００６】
【発明の効果】
（イ）従来の一般型タイプはリピートが出来ないので、一度結束すると電線等追加がある場合は切断していたが、本発明分はリピート出来るので廃棄せずに済む。
（ロ）本締めだけでなく仮止め用としても利用出来るので、とても便利である。
（ハ）従来のリピート可能タイプは、ロックを外すレバーを有する構造上、帯の幅が８ミリ程度あるが、本発明分は２．５ミリ程度の細い帯も可能となった。
（ニ）幅の細い物が可能となったので、柔らかくなり細物を結束するのに最適である。
（ホ）既製のリピートタイプより材料が少なくてすむので、コストが安くなる。
（ヘ）仕事の内容によっては、一度目の使用が済んでも取り外して再利用が出来るので、経済的である。
（ト）帯保持部に余った帯をはめ込めば、まとまりが良くなる。
【図面の簡単な説明】
【図１】結束バンド頭部の断面図である。
【図２】同じ断面図であるが、緩める場合の説明図である。
【図３】頭部の正面図である。
【図４】頭部の平面図である。
【図５】帯保持部に、帯をはめ込んだ斜視図である。
【図６】既製一般型タイプ頭部の、断面図である。
【図７】既製リピートタイプ頭部の、正面図である。
【符号の説明】
１．既製タイプから除いた頭頂部の一部分  ２．帯を押さえる機能を持たせた突起又は、頭頂部の一部分  ３．押すための指掛かり  ４．頭部内にある歯  ５．帯及び付属の歯  ６．湾曲させた帯  ７．帯の差込口  ８．押す指先  ９．帯保持部の側面板  １０．同じくひさし状突起  １１．既製一般型タイプの頭部  １２．既製リピートタイプの頭部  １３．ロック解除レバー
【図１】
2004299782.tif 000003
【図２】
2004299782.tif 000004
【図３】
2004299782.tif 000005
【図４】
2004299782.tif 000006
【図５】
2004299782.tif 000007
【図６】
2004299782.tif 000008
【図７】
2004299782.tif 000009
(57)【要約】【課題】ジッパ切断に伴う表層剥離が防止され、体裁よく商品を陳列できる陳列箱を提供する。【解決手段】前板１から両側板２へかけて開口用のジッパ１１，１２を入れ、ジッパ１１，１２の切断に伴い、その上方部分を除去して商品を陳列するジッパ切断式陳列箱において、前板１に、上縁から開口用のジッパ１１へかけて切始用のジッパ１０を入れると共に、開口用のジッパ１１に並行する半切線１５を表面側に入れる。ジッパ１０からジッパ１１，１２を両側へ捻るように切断すると、ジッパ１１の切断縁からの表層剥離が半切線１５で食い止められる。【選択図】  図３
2004299773.tif 000002
【特許請求の範囲】
【請求項１】
前板１から両側板２へかけて開口用のジッパ１１，１２を入れ、ジッパ１１，１２の切断に伴い、その上方部分を除去して商品を陳列するジッパ切断式陳列箱において、前板１に、上縁から開口用のジッパ１１へかけて切始用のジッパ１０を入れると共に、開口用のジッパ１１に並行する半切線１５を表面側に入れたことを特徴とするジッパ切断式陳列箱。
【発明の詳細な説明】
【０００１】
【発明の属する技術分野】
この発明は、菓子等の商品を包装すると共に、店頭では上部を除去して商品の陳列に使用するジッパ切断式の紙箱に関するものである。
【０００２】
【従来の技術】
一般に、前板、一対の側板及び後板を連設して周壁をなし、前板から両側板へかけて開口用のジッパを入れ、ジッパの切断に伴い、その上方部分を除去して商品を陳列する陳列箱が使用されている。
【０００３】
【発明が解決しようとする課題】
しかしながら、上記陳列箱では、ジッパの切断時に表層剥離が発生し、美粧印刷された前板が捲れて、見栄えが悪くなることがあった。
【０００４】
そこで、この発明は、ジッパ切断に伴う表層剥離が防止され、体裁よく商品を陳列できる陳列箱を提供することを課題とする。
【０００５】
【課題を解決するための手段】
上記のような課題を解決するため、この発明は、前板から両側板へかけて開口用のジッパを入れ、ジッパの切断に伴い、その上方部分を除去して商品を陳列するジッパ切断式陳列箱において、前板に、上縁から開口用のジッパへかけて切始用のジッパを入れると共に、開口用のジッパに並行する半切線を表面側に入れたのである。
【０００６】
このようにジッパ及び半切線を入れ、切始用のジッパから開口用のジッパを両側へ捻るように切断すると、開口用のジッパの切断縁からの表層剥離が半切線で食い止められるので、陳列時における美粧性が維持される。
【０００７】
【発明の実施の形態】
以下、この発明の実施の形態を添付図面に基づいて説明する。
【０００８】
図１に示すように、この陳列箱のブランクでは、前板１の両側に側板２が連設され、一方の側板２の外側には後板３が、他方の側板２の外側には継代４がそれぞれ連設されている。
【０００９】
前板１及び後板３の下縁には底板５が、各側板２の下縁には底板６が、各側板２の上縁には蓋受片７が、後板３の上縁には蓋板８がそれぞれ連設され、蓋板８の先端縁には差込片９が連設されている。
【００１０】
前板１には、中間部上縁から下方へ向かう２本の切始用ジッパ１０と、その下端から両側板２へ向かう開口用ジッパ１１とが入れられ、側板２には、ジッパ１１から繋がり斜め上方へ向かう波状の開口用ジッパ１２が入れられている。
【００１１】
ジッパ１２の下方には折込片１３が設けられ、後板３と蓋板８の境界には、ジッパ１２から繋がる切取用のミシン目１４が入れられている。
【００１２】
また、前板１の表面側には、図２に拡大して示すように、開口用のジッパ１１に並行する半切線１５が入れられている。半切線１５は、用紙を厚さ方向に半分程度切り込んだものである。
【００１３】
上記のようなブランクを組み立てて商品を包装するには、図３に示すように、前板１、一対の側板２及び後板３を角筒状に折り曲げ、継代４を後板３に貼り付けて周壁を形成し、底板５，６を貼り合わせて底面を閉止した後、蓋受片７を内側へ折り曲げ、蓋板８を閉じ、差込片９を箱内に差し込んで封緘する。
【００１４】
そして、店頭で商品を陳列する際には、切始用のジッパ１０から開口用のジッパ１１，１２を両側へ捻るように切断して、図４に示すように、ジッパ１１，１２の上方部分を除去し、蓋板８を切り取って、折込片１３を内側へ折り曲げる。
【００１５】
このとき、ジッパ１１の切断縁からの表層剥離が半切線１５で食い止められるので、前板１の印刷が捲れることがなく、上記陳列箱では、陳列状態における美粧性が維持される。
【００１６】
また、商品Ｇの両側部に折込片１３の波状端縁が係合するので、商品Ｇが前方から抜き取られても、残存した商品Ｇの前倒れが防止され、整然とした陳列が可能となる。
【００１７】
なお、この実施形態では、周壁が四角柱状の陳列箱を例示したが、周壁が六角柱状等の多角柱状をなす陳列箱においても、同様の構成を適用できる。
【００１８】
【発明の効果】
以上のように、この発明に係る陳列箱では、切始用のジッパから開口用のジッパを両側へ捻るように切断すると、開口用ジッパの切断縁からの表層剥離が半切線で食い止められるので、陳列時における美粧性が維持され、販売促進効果の向上が期待できる。
【図面の簡単な説明】
【図１】この発明に係る陳列箱のブランクを示す図
【図２】同上の前板の部分拡大図
【図３】同上の商品包装状態を示す斜視図
【図４】同上の陳列状態を示す斜視図
【符号の説明】
１  前板
２  側板
３  後板
５，６  底板
８  蓋板
１０，１１，１２  ジッパ
１５  半切線
【図１】
2004299773.tif 000003
【図２】
2004299773.tif 000004
【図３】
2004299773.tif 000005
【図４】
2004299773.tif 000006
(57)【要約】【課題】段ボールケースの補強を図るものであって、合成樹脂系の透明インキを縦・横の罫線上に印刷することによって、成形される段ボールケースの補強が可能となった。【解決手段】縦・横の罫線上に透明の補強インキを印刷するに当っては、商品名や会社名等を色インキで印刷する多色刷りの際に更に一色増刷りすると同様に透明の補強インキを印刷することにより、一工程で印刷が可能で、しかもケースの圧縮強度が増すため、薄い紙が使用でき、このため紙資源の節約に貢献できる。【選択図】    図１
2004299779.tif 000002
【特許請求の範囲】
【請求項１】
表面に透明補強インキを使用して印刷した段ボールにより箱体を形成した強化段ボールケース。
【請求項２】
印刷に当って縦罫・横罫に透明補強インキを使用して多色刷りと同様に一工程で印刷した段ボールにより箱体を形成した強化段ボールケース。
【請求項３】
表面に着色インキにより所定の印刷をすると同時に一工程で透明補強インキを使用して印刷した段ボールにより箱体を形成した請求項１又は２に記載の強化段ボールケース。
【請求項４】
表面に着色インキにより所定の印刷をした後に、透明補強インキを使用して２工程で印刷をした段ボールにより箱体を形成した請求項１又は２に記載の補強段ボールケース。
【発明の詳細な説明】
【０００１】
【発明が属する技術分野】
本発明は、段ボールに透明の補強インキを使用して印刷し、段ボールケースの補強を図り、従来使用していた段ボールより薄い紙を使用することができ、このため資源の節約を目的とする段ボールケースに関する。
【０００２】
【従来の技術】
従来公知とされている段ボール箱の補強手段としては、特開平８−２３７０５号に見られるように、複数のモノフィラメントを帯状に揃えて集合糸を接着剤に含浸させたテープ状のものを段ボールに貼接して箱自体の強度を向上させる手段が示されている。
【０００３】
【発明が解決しようとする課題】
しかし、前記公知例に見られる補強手段では、テープ状体を貼設して段ボールケースの補強を図るものであるため、市販されているガムテープをケースの隅部や角部に貼着するものと大差がなく、見た目が悪いという難点があるばかりか、ケース上に印刷されている商品名やマーク等の邪魔になり、さらには発送する場合の宛名書きや、伝票の貼着も制限されるおそれがある。
【０００４】
【課題を解決するための手段】
発明者は、段ボールケースの補強が紙資源の節約になること、即ち従来より薄い紙が使用できるという点に鑑み鋭意研究を続けた結果本発明に到達したものであって、本発明は合成樹脂を含有する透明のインキを、ケースを形成する紙の縦・横の罫線部分に印刷塗布することによって、ケースを成形した際に従来のケースに比較して１〜２割の耐圧縮強度が出る結果となり、このため原紙を薄手のものを使用しても十分にケースの強度を保つことが出来て紙資源の節約に貢献するものである。
【０００５】
【発明の実施の形態】
添付図面により、本発明の実施の形態を説明すると、図１はケースを形成する段ボールＡの展開図であり、図２は段ボールＡによって組立て形成されたケースＡ−１の斜視図を示している。
【０００６】
図中において符号（１）は縦罫線を示し、（２）は横罫線を示している。この（１）及び（２）はケースを形成するための折り目であって、これを組立てることによって、図２に示すケースＡ−１が完成される。
【０００７】
そして本発明は、この縦罫線（１）及び横罫線（２）の部分に透明補強インキを２〜４ｃｍの幅で印刷する。また符号（３）は品名などを印刷し、（４）は、会社名等を印刷するものであって、例えば商品名（３）を赤インキで印刷し、会社名（４）を青インキで印刷した２色刷りの工程でケースを完成させる。
【０００８】
そしてこの工程中において、縦（１）・横（２）の罫線部分に透明補強インキを印刷するものであって、この操作を含めることによって、３色刷りのような一工程で形成される。
【０００９】
またこの透明補強インキの印刷を、商品名（３）、会社名（４）等を印刷する前工程或は後工程で印刷することも可能であることは勿論である。
【００１０】
この透明補強インキは透明合成樹脂を主成分とし、溶剤にメタノール、エチレングリコール、モノブチルエーテルを配合したインキであって、通常の色インキと同様の物性を有しているため色インキと併用して２色刷り、３色刷り、４色刷りという手段が適用できる。
【００１１】
次に本発明の罫線部分（１），（２）に補強インキを印刷したケースと、従来のケースの圧縮試験結果を表にして示す。
2004299779.tif 000003
【００１２】
この表によると、本発明の強化段ボールケースは、圧縮強度が強化剤なしの従来の段ボールケースに比較して約１０％強化されていて、顕著な強度を有していることが理解できる。さらに、本発明の段ボールケースは強化インキを印刷・塗布することによってケースの面にザラツキが出てケースの積み上げ移動の際に滑落や荷崩れすることが少なくなって安心な作業が出来る。
【００１３】
【発明の効果】
上述のように、本発明の強化段ボールケースは、多色刷りと同様の工程で施工でき、しかも従来の段ボールケースに比較して強度があるため薄い紙を使用しても十分に対応でき、このため紙資源の節約が可能となり、地球環境の良化に貢献すること大である。
【図面の簡単な説明】
【図１】段ボールケースの展開図
【図２】ケースの斜視図
【符号の説明】
（１）…縦罫線
（２）…横罫線
（３）…商品名（赤色）
（４）…会社名（青色）
Ａ…ケースの展開図
Ａ−１…ケースの斜視図
【図１】
2004299779.tif 000004
【図２】
2004299779.tif 000005
(57)【要約】【課題】キャリアテープ成形機における間欠送り量の異常検出方法の信頼性向上を図ることを目的とする。キャリアテープ成形機におけるキャリアテープ自体を直接位置検出することで間欠送り量の異常検出を図ることを目的としたものである。【解決手段】間欠的に搬送されてくる帯状素材が有する穴を光電式センサーの変化量を利用した検出を特徴とする間欠送り量の異常検出であり、帯状素材の穴にて直接的な検出が可能であり、間欠送り量の信頼性が向上できる。【特許請求の範囲】
【請求項１】
間欠的に搬送されてくる帯状素材が有する穴を光電式センサーの変化量を利用して検出する間欠送り量の異常検出方法。
【発明の詳細な説明】
【０００１】
【発明の属する技術分野】
本発明は、キャリアテープの凹陥部の成形等で使用するプレス及び圧空成形機に装着される帯状素材送り装置の間欠送り量の異常検出方法に関するものである。
【０００２】
【従来の技術】
一般的に、プレス及び圧空成形機の間欠送り量の異常検出方法は、送り装置の伝達駆動源であるカム、サーボモーター、シリンダー等の移動量をパルス発生器等にて検出し、異常な間欠送り量になっていないか判断させているが、キャリアテープ自体の間欠送り量異常を検出できないという欠点があった。
【０００３】
【発明が解決しようとする課題】
本発明はキャリアテープ成形機におけるキャリアテープ自体を直接位置検出することで間欠送り量の異常検出を図ることを目的としたものである。
【０００４】
【課題を解決するための手段】
本発明は間欠的に搬送されてくる帯状素材が有する穴を光電式センサーの変化量を利用した検出を特徴とする間欠送り量の異常検出方法である。
【０００５】
【発明の実施の形態】
本発明の間欠送り量の異常検出方法は、光源からの光の投受光量を利用した光電式センサーとプログラマブルコントローラ（ＰＬＣ）からなる。
【０００６】
光電式センサーは、間欠送りされてくる帯状素材が有する穴の停止位置により光の遮断量が変化し、その値と任意に設定した値との比較結果をＯＮ／ＯＦＦ信号にてＰＬＣへ出力し成形機を制御する。したがって、キャリアテープ自体を直接位置検出することにより間欠送り量の異常検出をインラインにて図ることが出来る。
【０００７】
【実施例】
本発明の間欠送り量の異常検出方法は、光電式センサーを直接穴あけ機に２個設置し、穴あけ後に間欠送りされてきた帯状素材の穴位置を光電式センサーの光の遮断量にて検出させた。
【０００８】
また光電式センサーは、１個から複数個設置可能であり、直接穴あけ機に固定されているので穴あけ機の位置を調整しても微調整が必要なく、常に最適なタイミングで検出可能であった。
【０００９】
【発明の効果】
本発明による間欠送り量の異常検出方法は、従来の送り装置による間接的な検出方法から帯状素材の直接的な検出方法ができ、間欠送り量の信頼性が向上できることから、工業的なキャリアテープの検査方法として好適である。